(57)【要約】【課題】少ない数のスイッチでも様々な機能の設定を行うことができる照明器具を提供する。【解決手段】複数の機能が設定可能な照明器具であって、前記複数の機能の設定を行う制御部と、第１状態と第２状態との間で切り替え可能なスイッチと、を備え、前記制御部は、電源が投入された際に、前記スイッチが前記第１状態であるか前記第２状態であるかを検知し、前記スイッチが前記第１状態であると検知した場合には、前記複数の機能のうちの特定の機能の設定を行い、前記スイッチが前記第２状態であると検知した場合には、前記特定の機能の設定を行わない。【選択図】図５
2014026879.tif 000002
【特許請求の範囲】
【請求項１】
複数の機能が設定可能な照明器具であって、
前記複数の機能の設定を行う制御部と、
第１状態と第２状態との間で切り替え可能なスイッチと、を備え、
前記制御部は、電源が投入された際に、前記スイッチが前記第１状態であるか前記第２状態であるかを検知し、前記スイッチが前記第１状態であると検知した場合には、前記複数の機能のうちの特定の機能の設定を行い、前記スイッチが前記第２状態であると検知した場合には、前記特定の機能の設定を行わない
ことを特徴とする照明器具。
【請求項２】
前記制御部は、蓄電部材を備え、
外部電力が遮断された後、前記蓄電部材に蓄電された電力の放電が完了したことを表示する放電完了表示部を備える
ことを特徴とする請求項１に記載の照明器具。
【請求項３】
前記特定の機能の設定についてのユーザからの入力を受付ける受付手段を備え、
前記制御部は、前記受付手段が受付けた入力情報に従って、前記特定の機能の設定を行う
ことを特徴とする請求項１に記載の照明器具。
【請求項４】
前記特定の機能は、前記複数の機能のうち、設定頻度が最も低い機能である
ことを特徴とする請求項１に記載の照明器具。
【請求項５】
前記スイッチは、押釦スイッチであって、押圧力が加えられて押下されている場合は、前記第１状態となり、押圧力が加えられていない場合は、前記第２状態となる
ことを特徴とする請求項１に記載の照明器具。
【請求項６】
前記スイッチは、スライドスイッチである
ことを特徴とする請求項１に記載の照明器具。
【請求項７】
前記スイッチを１つだけ備える
ことを特徴とする請求項１に記載の照明器具。
【請求項８】
前記制御部は、前記複数の機能の設定情報を記憶する記憶部を備える
ことを特徴とする請求項１に記載の照明器具。
【請求項９】
前記制御部は、前記特定の機能の設定を行った場合には、前記記憶部に記憶されている前記特定の機能の前記設定情報を更新する
ことを特徴とする請求項８に記載の照明器具。
【発明の詳細な説明】
【技術分野】
【０００１】
本発明は、例えば天井面に取り付けられる照明器具に関し、特に複数の機能について設定可能な照明器具に関する。
【背景技術】
【０００２】
従来、室内の天井等に取り付けられる照明器具は、点灯のＯＮ／ＯＦＦを壁等に設置されたスイッチやリモートコントローラ（以下、「リモコン」と称する。）の操作により行うことができる構成が一般的である。また、点灯ＯＮ／ＯＦＦ、操作音のＯＮ／ＯＦＦ、機能の設定・変更といった操作を、ユーザがリモコン操作により行うことができるとともに、器具本体側にもボタンやスイッチが備えられ、ユーザがこれらの設定操作を器具本体側でも行うことができる照明器具がある（例えば、特許文献１参照）。
【先行技術文献】
【特許文献】
【０００３】
【特許文献１】特開２０１０−２５１２６４号公報
【発明の概要】
【発明が解決しようとする課題】
【０００４】
近年、照明器具の高機能化に伴い設定可能な機能数が増加し、照明器具に設置されるスイッチの数も増加傾向にある。
しかし、近年、その他の様々な分野の製品と同様に、照明器具に対してもコストダウンの要請があり、このようなスイッチの数を削減することが求められている。とは言っても、ユーザにとって便利な機能や必要な機能はできるだけ削減しないで搭載することが望ましい。
【０００５】
本発明は、上記課題に鑑みてなされたものであり、少ない数のスイッチでも様々な機能の設定を行うことができる照明器具を提供することを目的とする。
【課題を解決するための手段】
【０００６】
上記目的を達成するため、本発明に係る照明器具は、複数の機能が設定可能な照明器具であって、前記複数の機能の設定を行う制御部と、第１状態と第２状態との間で切り替え可能なスイッチと、を備え、前記制御部は、電源が投入された際に、前記スイッチが前記第１状態であるか前記第２状態であるかを検知し、前記スイッチが前記第１状態であると検知した場合には、前記複数の機能のうちの特定の機能の設定を行い、前記スイッチが前記第２状態であると検知した場合には、前記特定の機能の設定を行わないことを特徴とする。
【発明の効果】
【０００７】
本発明に係る照明器具の構成によれば、スイッチを第１状態にして電源を投入すると特定機能の設定を行うことができるため、１つのスイッチで設定可能な機能の数が多くなり、少ないスイッチ数でも多くの機能を設定することができる。
【図面の簡単な説明】
【０００８】
【図１】実施形態に係る照明器具について、（ａ）は、照明器具の外観斜視図であり、（ｂ）は、グローブを外した状態の照明器具内部を示す斜視図であり、（ｃ）は、（ａ）の一点鎖線で示す円で囲まれた部分を拡大して示す平面図である。
【図２】実施形態に係る照明器具の主要な回路構成を示す回路図である。
【図３】実施形態に係る照明器具の構成を示すブロック図である。
【図４】実施形態について、（ａ）は明るさセンサの回路図であり、（ｂ）は明るさセンサに入力される光の光束と、明るさセンサの第１信号端子と第２信号端子との間に出力される電圧信号の振幅との関係を示す図である。
【図５】実施形態に係る照明器具における電源投入時のマイクロコンピュータと端子ｔｅ６の電圧を示すタイムチャートであって、（ａ）は電源投入時にスイッチがオンである場合のタイムチャートであり、（ｂ）は電源投入時にスイッチがオフである場合のタイムチャートである。
【図６】実施形態に係る照明器具における機能設定処理の内容を示すフローチャートである。
【発明を実施するための形態】
【０００９】
＜発明に至った経緯＞
例えば、モードや機能を設定するためのスイッチが押釦スイッチである場合、スイッチを短時間（例えば、１秒）押下する（以下、「短押し」という。）と、ある機能がＯＮになり、再度スイッチを短押しすると当該機能がＯＦＦになるという方法が一般に採用されている。また、スイッチを所定時間（例えば、２秒）以上押下（以下、「長押し」という。）すると、別の機能がＯＮになり、再度スイッチを長押しすると、当該別の機能がＯＦＦになるという方法も一般に採用されている。このようにして、２つの機能を１つのスイッチで設定可能にし、スイッチ数を削減している。
【００１０】
しかし、ユーザにとって便利な機能や必要な機能が３つある場合、上記の方法ではスイッチをもう一つ増やさなくてはならない。しかし、１つの機能設定のためにもう１つスイッチを増設するのは、コスト面から考えるとあまり好ましくない。それならば、１つのスイッチで３つの機能を設定可能にすればよい。
そこで、本願発明者らは、スイッチを用いた機能設定方法として、スイッチの短押し、長押し以外の方法に想到した。
【００１１】
以下、本発明を実施するための形態を、図面を参照して詳細に説明する。なお、各図は、模式図であり、図面に示された部品等の核構成要素の形状や寸法および比等については、必ずしも厳密に図示したものではない。
＜実施形態＞
まず、本発明の実施形態に係る照明器具の構成について、図１を参照しながら説明する。
【００１２】
［全体構成］
図１は、実施形態に係る照明器具１０の概略構成を示す斜視図である。図１（ａ）は、照明器具１０の外観斜視図であり、図１（ｂ）は、内部の様子が見えるようにグローブ１３を取り外した状態の照明器具１０を示す斜視図である。図１（ｃ）は、図１（ｂ）において一点鎖線で示す円で囲まれた部分を拡大して模式的に示す平面図である。
【００１３】
照明器具１０は、主な構成要素として、器具本体１１、器具本体１１の外周に組み付けられた円環状のセンサ枠１２、および器具本体１１の下側（照射方向側。照明器具１０が天井に設置される場合は、床側。）を覆ってセンサ枠１２の環の内側において器具本体１１に嵌合されるグローブ１３から成る。器具本体１１は、リモコンからの指示信号を受信するための受信ユニット３０や照明器具１０の設定変更等を行うための設定ユニット４０、外部から電力を受電するためのコネクタ１８等を備える。センサ枠１２には、照明器具１０が設置されている環境（室内等）の明るさを検知するためのセンサユニット２０が取着されている。グローブ１３は、ガラスや樹脂等の透光性の材料から成り、内面に光源としての第１発光部１４から発せられた光を拡散させる拡散処理、例えば、シリカや白色顔料等による拡散処理が施されている。グローブ１３の内面に入射した光はグローブ１３を透過しグローブ１３の外部へと取り出される。
【００１４】
器具本体１１には、第１発光部１４が着脱可能に取り付けられる。第１発光部１４は、本実施形態においては、具体的には、複数のＬＥＤ１４ａ（図２参照）が環状に配置されて成る。
なお、発光部１４は、照明器具１０使用時には必須ではあるが、商品としての流通・販売時には、必ずしも必須ではない。発光部１４を備えない状態で流通・販売され、ユーザが好みの発光部を購入して取り付けてもよい。
【００１５】
図１（ｂ）に示すように、器具本体１１の中央部には、取付用貫通孔１１１が形成されており、照明器具１０を天井等に設置された配線器具に取り付けるためのアダプタ（不図示）が取付用貫通孔１１１に嵌合され、当該アダプタを介して照明器具１０が天井等に固定される。そして、アダプタに設けられた電源コンセントにコネクタ１８を接続し、照明器具１０を点灯させる。
【００１６】
図１（ｂ），（ｃ）に示すように、受信ユニット３０は、受信部３１と、受信部３１に隣接して配置された６個のＬＥＤ３２ａからなる第２発光部３２と、受信部３１および第２発光部３２を覆うように配置されたドーム状のレンズカバー３３とを備える。
設定ユニット４０には、スイッチ４１（ＳＷ４１）が設けられている。スイッチ４１は、押釦スイッチであり、通常は釦が突出した状態である。ユーザが指等で押下している間は器具本体１１内に押し込まれるが、押下方向の力を解除すると元の突出状態に戻る。
【００１７】
［回路構成］
図２は、本実施の形態に係る照明器具１０の回路図である。図３は、照明器具１０の機能構成を示すブロック図である。
照明器具は、スイッチＳＷ４１を有する設定ユニットと、制御回路（制御部）１０６とを備える点灯装置１、第１発光部１４、第２発光部３２、センサユニット２０、受信部３１、ブザー５０を備える。点灯装置１が有する制御回路１０６とセンサユニット２０とは、信号線Ｌを介して接続されている。
【００１８】
ここで、点灯装置１は、センサユニット２０から出力される電圧信号に応じて第１発光部１４の調光率を自動的に増減させる「自動調光機能」を有している。これにより、第１発光部１４の調光率は、自動的に照明器具の周囲の明るさに応じた最適値に設定される。
＜第１発光部＞
第１発光部１４は、互いに直列に接続された複数のＬＥＤ１４ａからなる。この第１発光部１４は、例えば、３０個のＬＥＤ１４ａから構成される。
【００１９】
＜第２発光部＞
第２発光部３２は、互いに直列に接続された複数のＬＥＤ３２ａからなる。この第２発光部３２は、例えば、６個のＬＥＤ３２ａから構成され、いわゆる常夜灯として機能する。
＜受信部＞
受信部３１は、照明器具を遠隔操作するためのリモコン（不図示）から発信された指示信号を受信する受付手段であり、指示信号を受信すると、当該指示信号を変換して点灯装置１に入力する。受信部３１は、リモコンから発信される指示信号の媒体が赤外線であれば、当該赤外線を受光できる受光素子を備えた構成となる。なお、受信部３１は、リモコンから送信される指示信号の媒体が、例えば、微弱無線や特定小電力無線等であれば、無線受信機から構成される。
【００２０】
＜ブザー＞
ブザー５０は、受信部３１がリモコンから発信された指示信号を受信する毎に鳴動するように設定できるようになっている。これにより、ユーザは、リモコンによる操作が照明器具に伝達していることを認知することができる。
＜センサユニット＞
センサユニット２０は、点灯装置１の動作状態を表示する表示灯２１と、センサユニット２０の周囲の明るさを検知する明るさセンサ２２とを備える。ここで、「動作状態」とは、点灯装置１の自動調光機能が働いている状態や、点灯装置１が自動調光機能により第１発光部１４の調光率を増減している状態をいう。
【００２１】
表示灯２１は、点灯装置１に接続されており、点灯装置１により点灯制御される。表示灯２１は、ＬＥＤから構成されている。なお、表示灯２１は、ＬＥＤに限定されるものではなく、例えば、ＥＬ素子や豆電球等を用いたものであってもよいが、電力消費量やコスト等を総合的に考慮するとＬＥＤが好ましい。
明るさセンサ２２は、接地端子ｔｅ２２０と、電源端子ｔｅ２２１と、第１信号端子ｔｅ２２２と、第２信号端子ｔｅ２２３とを備え、周囲の明るさに応じた電圧信号を、第１信号端子ｔｅ２２２と第２信号端子ｔｅ２２３との間に出力する。
【００２２】
＜点灯装置＞
図２に示すように、点灯装置１は、整流回路１０１と、ＰＦＣ（Ｐｏｗｅｒ  Ｆａｃｔｏｒ  Ｃｏｒｒｅｃｔｉｏｎ）回路１０２と、第１降圧チョッパ回路１０３と、第２降圧チョッパ回路１０４と、レギュレータ１０５と、制御回路１０６とを備える。
＜整流回路＞
整流回路１０１は、外部電源ＡＣから供給される交流を整流して直流に変換する。整流回路１０１は、例えば、ダイオードブリッジから構成されるものであってもよい。整流回路１０１は、例えば、外部電源ＡＣからＡＣ１００Ｖの交流電圧が入力されると、１００Ｖの直流電圧を出力する。
【００２３】
＜ＰＦＣ回路＞
ＰＦＣ回路１０２は、入力力率を改善するための回路である。ＰＦＣ回路１０２は、例えば、周知の昇圧チョッパ回路から構成されるものであってもよい。ＰＦＣ回路１０２が昇圧チョッパ回路から構成される場合、ＰＦＣ回路は、例えば、整流回路１０１から入力される１００Ｖの直流電圧を１００Ｖよりも高い電圧に昇圧して出力する。
【００２４】
＜第１降圧チョッパ回路＞
第１降圧チョッパ回路１０３は、ＰＦＣ回路１０２から出力される電圧を降圧して（例えば、１００Ｖに降圧）第１発光部１４に出力する。第１降圧チョッパ回路１０３は、インダクタ、スイッチング素子、ダイオードおよびスイッチング素子の駆動回路を備える。
また、第１チョッパ回路１０３は、ＰＷＭ制御方式により出力が制御されている。具体的には、制御回路１０６から駆動回路にＰＷＭ信号が入力されると、駆動回路は、当該ＰＷＭ信号に基づいてスイッチング素子をオンオフさせる。このとき、第１降圧チョッパ回路１０３は、ＰＷＭ信号のオンデューティにより定まる所定の大きさの電圧を第１発光部１４に出力し、第１発光部１４を調光点灯する。一方、制御回路１０６から駆動回路に入力されるＰＷＭ信号が遮断されると、駆動回路は、スイッチング素子をオフで維持する。このとき、第１降圧チョッパ回路１０３が第１発光部１４への電圧出力を停止し、第１発光部１４が消灯する。
【００２５】
＜第２降圧チョッパ回路＞
第２降圧チョッパ回路１０４は、ＰＦＣ回路１０２から出力される電圧を降圧して（例えば、１５Ｖに降圧）第２発光部３２やレギュレータ１０５に出力する。第２降圧チョッパ回路１０４は、インダクタ、ダイオードおよび電源用ＩＰＤ（Ｉｎｎｔｅｌｌｉｇｅｎｔ  Ｐｏｗｅｒ  Ｄｅｖｉｃｅ）を備える。電源用ＩＰＤとは、スイッチング素子とその駆動回路の機能が一体化された電源用の集積回路である。第２降圧チョッパ回路１０４の高電位側の出力端は、限流用の抵抗Ｒ１０４を介して第２発光部３２の高電位側に接続されている。これにより、第２降圧チョッパ回路１０４は、その高電位側の出力端から抵抗Ｒ１０４を介して第２発光部３２への電流を供給することができる。
【００２６】
＜レギュレータ＞
レギュレータ１０５は、例えば、バンドギャップレギュレータからなり、第２降圧チョッパ回路１０４の出力端間に接続されている。レギュレータ１０５は、第２降圧チョッパ回路１０４から出力される電圧よりも低い一定の電圧を出力する。例えば、第２降圧チョッパ回路１０４から１５Ｖの電圧が入力されると、レギュレータ１０５は、５Ｖの一定の電圧を出力する。レギュレータ１０５の出力電圧は、制御回路１０６が正常に駆動するように設定されている。
＜スイッチ＞
スイッチＳＷ４１は、制御回路１０６の動作の切り替えを行うためのものである。スイッチＳＷ４１は、押釦スイッチから構成され、押下されている間だけオンし、押下されていない期間はオフで維持される。また、長押しと短押しとで、異なる動作が切り替えられる。
【００２７】
本実施形態においては、スイッチＳＷ４１が長押しされた場合は、例えば、照明器具と当該照明器具を遠隔操作するリモコンとの紐付け設定、言い換えれば、制御回路１０６とリモコンとの紐付け設定を行う。スイッチＳＷ４１が所定時間以上オンする毎に、制御回路１０６は、制御回路１０６とリモコンとの紐付けが可能な設定モードと、制御回路１０６とリモコンとの紐付けが不可能な非設定モードとを繰り返す。リモコンとの紐付設定の一例としては、例えば、チャネル設定がある。チャネル設定とは、１つのリモコンで複数の照明器具を別々に制御する場合に利用される機能である。それぞれの照明器具を別々のチャネルに割り当て、あるチャネルモードでリモコンを操作した場合には、該当チャネルが割り当てられた照明器具のみが制御されるというものである。本実施形態においては、スイッチ４１が長押しされた場合には、チャネル設定を行う。
【００２８】
また、スイッチＳＷ４１が短押しされた場合、例えば、制御回路１０６について、リモコンから指示信号を受信する毎にブザー５０を鳴動させる鳴動モードと、リモコンから指示信号を受信してもブザー５０を鳴動させない非鳴動モードとを切り替える。スイッチＳＷ４１が短押しされる毎に、即ち所定時間よりも短い時間オンする毎に、制御回路１０６は、鳴動モードと非鳴動モードとを繰り返し、操作音のＯＮ／ＯＦＦ設定を行う。
【００２９】
スイッチＳＷ４１は、第２降圧チョッパ回路１０４の低電位側の出力端と端子ｔｅ６との間に接続されている。スイッチＳＷ４１がオンすると、端子ｔｅ６の電圧が「Ｈｉｇｈ」レベルから「Ｌｏｗ」レベルに切り替わる。詳しくは後述する。
＜制御回路＞
制御回路１０６は、マイクロコンピュータ（以下、「マイコン」と称す。）１０６ａと、トランジスタＱ１０６と、抵抗Ｒ１とを備える。
【００３０】
抵抗Ｒ１は、一端がレギュレータ１０５の出力端に接続され、他端がスイッチＳＷ４１を介して第２降圧チョッパ回路１０４の低電位側の出力端に接続されている。抵抗Ｒ１はいわゆるプルアップ用抵抗として機能する。つまり、スイッチＳＷ４１がオフの場合、抵抗Ｒ１の他端の電圧は、レギュレータ１０５の出力電圧（以下、「Ｈｉｇｈ」レベルと称する。）に略等しくなる。一方、スイッチＳＷ４１がオンの場合、抵抗Ｒ１の他端の電圧は、第２降圧チョッパ回路１０４の低電位側の出力端の電圧（以下、「Ｌｏｗ」レベルと称する。）に略等しくなる。
【００３１】
トランジスタＱ１０６は、ＮＰＮ型バイポーラトランジスタからなる。なお、トランジスタＱ１０６は、ＰＮＰ型バイポーラトランジスタからなるものであってもよいし、或いは、ＭＯＳＦＥＴからなるものであってもよい。
マイコン１０６ａは、プロセッサ（図示せず）と、メモリ（記憶部）１０６ａ１（図３参照）と、１１個の端子ｔｅ１，ｔｅ２，ｔｅ３，ｔｅ４，ｔｅ５１，ｔｅ５２，ｔｅ６，ｔｅ７，ｔｅ８とを備える。メモリ１０６ａ１は、不揮発性メモリからなる。
【００３２】
端子ｔｅ０は、第２降圧チョッパ回路１０４の低電位側の出力端に接続されている。
端子ｔｅ１は、レギュレータ１０５の出力端に接続されている。
端子ｔｅ２は、第１降圧チョッパ回路１０３に接続されている。端子ｔｅ２からは、ＰＷＭ信号が出力され、第１降圧チョッパ回路１０３の一部を構成する駆動回路に入力される。
【００３３】
端子ｔｅ３は、トランジスタＱ１０６のベースに接続されている。端子ｔｅ３からトランジスタＱ１０６のベースに、トランジスタＱ１０６のターンオン電圧以上の所定の電圧が入力されると、トランジスタＱ１０６がオンする。そして、第２降圧チョッパ回路１０４の高電位側の出力端から、抵抗Ｒ１０４、第２発光部３２を経由する電流が流れ、第２発光部３２が点灯する。
【００３４】
端子ｔｅ４は、センサユニット２０の表示灯２１に接続されている。具体的には、表示灯２１を構成するＬＥＤのカソードに接続されている。端子ｔｅ４の電圧が端子ｔｅ１の電圧よりも低下すると、表示灯２１を構成するＬＥＤに電流が流れ、表示灯２１が点灯する。ここで、前述の自動調光機能が働いている期間のうち第１発光部１４の調光率が一定に維持されている期間中、マイコン１０６ａは、端子ｔｅ４の電圧を端子ｔｅ１の電圧よりも低い状態で維持することにより表示灯２１を点灯状態で維持する。一方、自動調光機能が働いている期間のうち第１発光部１４の調光率が増減している期間中、マイコン１０６ａは、端子ｔｅ４の電圧と端子ｔｅ１の電圧とが略同じ状態と、端子ｔｅ４の電圧が端子ｔｅ１の電圧よりも低い状態とを交互に繰り返すことにより、表示灯２１を点滅させる。これにより、照明器具の使用者は、表示灯２１を確認することにより、点灯装置１の自動調光機能が働いているか否か、および、点灯装置１が第１発光部１４の調光率の増減を行っているか否かを容易に確認することができる。
【００３５】
端子ｔｅ５１は、明るさセンサ２２の第１信号端子ｔｅ２２２に接続され、端子ｔｅ５２は、明るさセンサ２２の第２信号端子ｔｅ２２３に接続されている。そして、マイコン１０６ａは、端子ｔｅ５１に入力される電圧と端子ｔｅ５２に入力される電圧との差分電圧を明るさセンサ２２から出力される電圧信号として取得する。
端子ｔｅ６は、抵抗Ｒ１とスイッチＳＷ４１との間に接続され、抵抗Ｒ１の上記他端に生じる電圧が入力される。端子ｔｅ６の電圧が一度「Ｈｉｇｈ」レベルから「Ｌｏｗ」レベルに切り替わると、マイコン１０６ａは、上記設定モードに切り替わる。設定モードに切り替わった後、スイッチＳＷ４１が再度オンし、端子ｔｅ６の電圧が再度「Ｈｉｇｈ」レベルから「Ｌｏｗ」レベルに切り替わると、マイコン１０６ａは、上記非設定モードに切り替わる。
【００３６】
設定モードにおいて、受信部３１が、リモコンから当該リモコンの識別情報を含む指示信号を受信すると、マイコン１０６ａは、当該指示信号に含まれる識別情報をメモリ１０６ａ１に記憶する。そして、非設定モードに切り替わった後、マイコン１０６ａは、リモコンから指示信号を受信した場合、当該指示信号に含まれる識別情報がメモリ１０６ａ１に記憶された識別情報と一致したときだけ、当該指示信号に含まれる指示情報に従った動作を行う。
【００３７】
また、端子ｔｅ６の電圧が「Ｈｉｇｈ」レベルから「Ｌｏｗ」レベルに切り替わり、所定時間以上「Ｌｏｗ」レベルが継続すると、即ちスイッチＳＷ４１が所定時間以上押下されると、マイコン１０６ａは、鳴動モードに切り替わる。鳴動モードに切り替わると、マイコン１０６ａは、受信部３１がリモコンから指示信号を受信する毎に端子ｔｅ８からブザー５０に所定の電圧を出力するようになる。鳴動モードに切り替わった後、スイッチＳＷ４１が再度オンして端子ｔｅ６の電圧が再度「Ｈｉｇｈ」レベルから「Ｌｏｗ」レベルに切り替わり、所定時間以上「Ｌｏｗ」レベルが継続すると、マイコン１０６ａは、非鳴動モードに切り替わる。非鳴動モードに切り替わると、マイコン１０６ａは、リモコンから指示信号を受信しても端子ｔｅ８からブザー５０に電圧を出力しないようになる。
【００３８】
端子ｔｅ７は、受信部３１に接続されており、受信部３１が指示信号を受信すると、当該指示信号を変換してなる信号が入力される。
端子ｔｅ８は、ブザー５０に接続されており、端子ｔｅ８からブザー５０に所定の電圧が入力される毎にブザー５０が鳴動する。
なお、本実施の形態では、点灯装置１が第１降圧チョッパ回路１０３および第２降圧チョッパ回路１０４を備える例について説明したが、これらの代わりに昇降圧回路や昇圧回路を備える構成であってもよい。また、入力力率改善を考慮しないのであれば、ＰＦＣ回路１０２がない構成であってもよい。この構成によれば、ＰＦＣ回路がない分、回路の簡素化および回路規模の縮小を図ることができる。
＜明るさセンサ＞
次に、明るさセンサ２２の構成について詳述する。
【００３９】
明るさセンサ２２の回路図を図４（ａ）に示し、明るさセンサ２２に入力される光の光束Φと、明るさセンサ２２の第１信号端子ｔｅ２２２と第２信号端子ｔｅ２２３との間に出力される電圧信号の振幅Ｖａとの関係を図４（ｂ）に示す。
図４（ａ）に示すように、明るさセンサ２２は、明るさ検知回路２２ａと、差動増幅回路２２ｂと、抵抗Ｒ２２と、トランジスタＱ２２と、ダイオードＤ２２ｂとを備える。
【００４０】
明るさ検知回路２２ａは、フォトダイオードＰＤと、抵抗Ｒ２２ａａ，２２ａｂと、コンデンサＣ２２ａとを備える。フォトダイオードＰＤは、カソードが抵抗Ｒ２２ａａを介して電源端子ｔｅ２２１に接続され、アノードが抵抗Ｒ２２ａｂを介して接地端子ｔｅ２２０に接続されている。そして、フォトダイオードＰＤに光が入射すると、電源端子ｔｅ２２１から抵抗Ｒ２２ａａ、フォトダイオードＰＤおよび抵抗Ｒ２２ａｂを経由して接地端子ｔｅ２２０に電流が流れる。このとき、抵抗Ｒ２２ａｂの両端間には、フォトダイオードＰＤに流れる電流に応じた電圧が発生する。なお、フォトダイオードＰＤとしては、ＰＮ型、ＰＩＮ型、ショットキー型、アバランシェ型のいずれを用いてもよい。また、フォトダイオードＰＤの代わりに光電管等の他の光電変換素子を用いてもよい。
【００４１】
また、抵抗Ｒ２２ａｂの両端間に生じる電圧のノイズ成分を除去するために、コンデンサＣ２２ａが、フォトダイオードＰＤのカソードと、抵抗Ｒ２２ａｂにおけるフォトダイオードＰＤに接続される一端とは反対側の他端との間に接続されている。
差動増幅回路２２ｂは、明るさ検知回路２２ａの抵抗Ｒ２２ａｂの両端間に生じる電圧を増幅して第１信号端子ｔｅ２２２と第２信号端子ｔｅ２２３との間に出力する。この差動増幅回路２２ｂは、オペアンプＯＰと、抵抗Ｒ２２ｂａ，Ｒ２２ｂｂ，Ｒ２２ｂｃ，Ｒ２２ｂｄとから構成される。このように、差動増幅回路２２ｂを採用しているのは、明るさセンサ２２からの出力に重畳されるノイズの低減を図るためである。
【００４２】
図４（ｂ）に示すように、フォトダイオードＰＤに入力される光の光束Φの増加に伴って、差動増幅回路２２ｂから出力される電圧信号の振幅も上昇する。このメカニズムは以下の通りである。
フォトダイオードＰＤに入力される光の光束Φが増加すると、フォトダイオードＰＤ内をカソードからアノードに向かって流れる電流（以下、「発電電流」と称する。）が増加し、それに伴い、抵抗Ｒ２２ａｂの両端間に生じる電圧が上昇する。そして、抵抗Ｒ２２ａｂの両端間に生じる電圧の上昇に比例して差動増幅回路２２ｂから出力される電圧信号の振幅も上昇する。
【００４３】
また、図４（ａ）に示すように、トランジスタＱ２２は、Ｐチャネル型ＭＯＳＦＥＴからなり、ドレインが電源端子ｔｅ２２１に接続され、ソースが抵抗Ｒ２２を介してフォトダイオードＰＤと抵抗Ｒ２２ａｂとの間に接続されている。また、トランジスタＱ２２のゲートは、第１信号端子ｔｅ２２２に接続されている。ここにおいて、第１信号端子ｔｅ２２２の電位がトランジスタＱ２２のソース電位よりもトランジスタＱ２２のターンオン電圧分だけ低くなったときに、トランジスタＱ２２がオンする。
【００４４】
トランジスタＱ２２がオンすると、フォトダイオードＰＤの発電電流とともに、電源端子ｔｅ２２１からトランジスタＱ２２および抵抗Ｒ２２を経由して流れる電流が、抵抗Ｒ２２ａｂに流れ込む。一方、トランジスタＱ２２がオフすると、フォトダイオードＰＤの発電電流のみが抵抗Ｒ２２ａｂに流れ込む。つまり、トランジスタＱ２２がオンしている場合に抵抗Ｒ２２ａｂに流れ込む電流は、トランジスタＱ２２がオフしている場合に抵抗Ｒ２２ａｂに流れ込む電流よりも大きくなる。従って、トランジスタＱ２２がオンしている場合に抵抗Ｒ２２ａｂの両端間に生じる電圧は、トランジスタＱ２２がオフしている場合に抵抗Ｒ２２ａｂの両端間に生じる電圧よりも高くなる。
【００４５】
ダイオードＤ２２ｂは、アノードが第１信号端子ｔｅ２２２に接続され、カソードが接地端子ｔｅ２２０に接続されている。これにより、第１信号端子ｔｅ２２２の電圧が、接地端子ｔｅ２２０の電圧に比べて低下した場合、第１信号端子ｔｅ２２２から接地端子ｔｅ２２０に向かって流れる電流を遮断することができる。
［機能設定処理］
上記説明したように、本実施形態においては、スイッチ４１を短押しすると操作音のＯＮ／ＯＦＦが切り替えられるようになり、スイッチ４１を長押しすると、チャネル設定ができるようになる。そして、これら２つの機能に加えて、第３の機能である特定機能の設定をスイッチ４１で行う構成について以下に説明する。
【００４６】
照明器具の様々な機能のうちユーザや販売業者等が設定可能な機能として、上記の２つの他に、例えば、初期設定にリセットする機能、テストモードで動作する機能、店頭などでのデモモードで操作する機能、壁等に設置されたスイッチをＯＦＦした後に素早くＯＮすることにより、例えば、調光色を切り替えるなどの設定を行う機能、照明器具の点灯／消灯を行う機能などがある。
【００４７】
このうち、リセット機能は、使用頻度は多くないが重要な機能である。例えば、賃貸住宅などで照明器具が使用される場合、前の住人の設定が次の住人には不都合なことがある。そのような場合には、次の住人のために照明器具の設定を初期設定にリセットする必要がある。従って、リセット機能は、スイッチ数を削減しても削減することが好ましくない機能であると考えられる。
【００４８】
そこで、本実施の形態においては、特定機能がリセット機能である場合を例に、照明器具１０の機能設定処理について以下に説明する。
なお、上記特定機能はリセット機能に限定されるものではない。上記列挙したいずれの機能であってもよいし、上記以外の機能であってもよい。
また、スイッチ４１の短押しで設定される機能は、操作音のＯＮ／ＯＦＦ機能に限られず、スイッチ４１の長押しで設定される機能は、チャネル設定に限られない。これらについても、上記列挙したいずれの機能であってもよいし、上記以外の機能であってもよい。
【００４９】
本実施形態に係る照明器具１０は、電源を落とした状態でスイッチ４１を押下し、押下したままの状態（オンした状態：第１状態）で照明器具１０の電源を投入すると特定機能の設定を行う（ここでは、初期設定にリセットする）。スイッチ４１が押下されていない状態（オフの状態：第２状態）で照明器具１０の電源を投入したときには、特定機能の設定を行わない。
【００５０】
図５は、本実施形態に係る照明器具１０の電源投入時のマイクロコンピュータと端子ｔｅ６の電圧を示すタイムチャートである。図５（ａ）は、照明器具１０の電源投入時にスイッチ４１がオンである場合のタイムチャートであり、図５（ｂ）は電源投入時にスイッチ４１がオフである場合のタイムチャートである。
図５（ａ），（ｂ）に示すように、時刻ｔ０において、照明器具１０に電源が投入され、マイコン１０６ａの電圧も０〔Ｖ〕からＶｃｃ〔Ｖ〕に変化する。このとき、照明器具１０全体を制御するメインルーチンにおいて、タイマーがリセットされた後スタートする。時刻ｔ０は、タイマーがスタートした時刻であり、タイマーのリセットとスタートとの間は極短時間であるため、タイマーのリセットとスタートは略同時に行われると考えてよい。従って、タイマーのスタートは、マイコンの電圧変化と略同時に行われる。そして、時刻ｔ１において、制御回路１０６は、端子ｔｅ６の電圧がＨｉｇｈであるかＬｏｗであるかを検知する。ここで、時刻ｔ１は、時刻ｔ０から非常に短時間経過した後の時刻であって、具体的には、例えば、１０〔ｍｓ〕経過した時刻である。これは、ユーザが電源を投入した後にどんなに素早くスイッチを押下しても、人間の能力的に時刻ｔ１よりも早く押下するのは不可能であるほどの短時間であって、時刻ｔ１は、実質的には時刻ｔ０と略同時と考えることができる。
【００５１】
図５（ａ）に示す、電源投入時にスイッチ４１がオンした状態（押下されている状態）である場合、時刻ｔ１にて検知される端子ｔｅ６の電圧はＬｏｗである。
図５（ｂ）に示す、電源投入時にスイッチ４１がオフである状態（押下されていない状態）である場合、時刻ｔ１にて検知される端子ｔｅ６の電圧はＨｉｇｈである。
ところで、スイッチ４１がオンした状態となったとき、即ち、端子ｔｅ６の電圧がＬｏｗになったときには、ユーザがスイッチ４１を押下していることを示し、ユーザが何らかの機能設定を行おうとしていることを示す。図６は、本実施形態に係る照明器具１０の機能設定処理の内容を示すフローチャートである。
【００５２】
なお、当該機能設定処理のフローは、メインルーチンにおいて、スイッチ４１がオンされたこと、即ち、端子ｔｅ６の電圧がＬｏｗになったことを検知すると、それをトリガーとして実行されるサブルーチンである。また、当該機能設定処理のフローは、スイッチ４１により機能設定を行うときの処理内容を示すフローであり、リモコンを用いて機能を設定する場合（例えば、変形例２参照）についてはまた別のフロー（不図示）が存在し、当該別のフローに基づいて行われる。
【００５３】
メインルーチンにおいて端子ｔｅ６の電圧がＬｏｗになったことが検知されると、図６に示す機能設定処理のフローが開始され、先ず、タイマーを参照して端子ｔｅ６の電圧がＬｏｗになったことが検知された時刻ｔａを取得し（ステップＳ１）、時刻ｔａと時刻ｔ１とを比較する（ステップＳ２）。
時刻ｔａが時刻ｔ１と同じかｔ１よりも早い（以下、「時刻ｔａが時刻ｔ１以下である」という。）場合（ステップＳ２：ＹＥＳ）、電源が投入された時点で既にスイッチ４１が押下されていたことを示すため、初期設定にリセットし（ステップＳ６）、メモリ１０６ａ１に記憶されている設定情報を初期設定に更新して（ステップＳ９）、メインルーチンにリターンする。なお、上記設定情報とは、各種設定項目のパラメータ値や識別情報等である。初期設定の設定情報は、不図示のＲＯＭ等の不揮発性メモリに予め記録されて照明器具１０に備えられており、当該初期設定の設定情報を読み込むことにより得られる。また、ＲＯＭ等を備える代わりに、メモリ１０６ａ１の記憶領域の一部に、初期設定の設定情報を記憶させてもよい。
【００５４】
ステップＳ２において、時刻ｔａが時刻ｔ１よりも遅い場合、即ち、時刻ｔａが時刻ｔ１以下でない場合、電源が投入された時点ではスイッチ４１は押下されていなかったと考えられる。そこで、次に当該スイッチ４１の押下が短押しか長押しかについて、以下のようにして判断する。
ステップＳ２において、時刻ｔａが時刻ｔ１以下でない場合（時刻ｔａが時刻ｔ１よりも遅い場合）（ステップＳ２：ＮＯ）、次に、端子ｔｅ６の電圧がＨｉｇｈであるかＬｏｗであるかを判定する（ステップＳ３）。端子ｔｅ６の電圧がＬｏｗである場合、スイッチ４１はまだ押下された状態であるため、引き続き当該判定を行う（ステップＳ３：Ｌｏｗ、ステップＳ３）。
【００５５】
端子ｔｅ６の電圧がＨｉｇｈである場合（ステップＳ３：Ｈｉｇｈ）、スイッチ４１が押下されていない状態に戻ったことを示すため、タイマーを参照してこのときの時刻ｔｂを取得する（ステップＳ４）。
そして、時刻ｔａから時刻ｔｂまでの期間（ｔｂ−ｔａ）が所定期間Ｔｈ以上であるかどうかを判定する（ステップＳ５）。ここで、時刻ｔａはスイッチ４１の押下が開始された時刻を示し、時刻ｔｂはスイッチ４１の押下が終了した時刻を示すため、期間（ｔｂ−ｔａ）は、スイッチ４１が押下されていた期間（以下、「押下継続期間」という。）を示す。また所定期間Ｔｈは、スイッチ４１の短押しと長押しを区別する基準となる期間であり、押下継続期間がＴｈよりも短い場合は短押し、Ｔｈ以上である場合は長押しとなる。所定期間Ｔｈは、具体的には、例えば、2秒間である。
【００５６】
期間（ｔｂ−ｔａ）が所定期間Ｔｈよりも短い場合、即ち、期間（ｔｂ−ｔａ）が所定期間Ｔｈ以上でない場合（ステップＳ５：ＮＯ）、スイッチ４１の押下は短押しであるため、操作音のＯＮ／ＯＦＦ設定を行い（ステップＳ７）、メモリ１０６ａ１に記憶されている設定情報を更新して（ステップＳ９）、メインルーチンにリターンする。
期間（ｔｂ−ｔａ）が所定期間Ｔｈ以上である場合（ステップＳ５：ＹＥＳ）、スイッチ４１の押下は長押しであるため、チャネル設定を行い（ステップＳ８）、メモリ１０６ａ１に記憶されている設定情報を更新して（ステップＳ９）、メインルーチンにリターンする。
【００５７】
なお、メモリ１０６ａ１に記憶されている照明器具１０の各種機能の設定情報は、出荷時には初期設定の設定情報が記憶されているため、上記ステップＳ９における設定情報の更新は、初回設定時には初期設定情報からの更新となる。初期設定から設定情報の変更が無い状態でリセットを行った場合、メモリ１０６ａ１に記憶されている設定情報は、初期設定の設定情報のまま変更されないが、この場合でも、初期設定の設定情報から同じ初期設定の設定情報に更新されることとなる。
【００５８】
［まとめ］
以上説明したように、本実施形態に係る照明器具１０の構成によると、スイッチ４１の短押しと長押しによる２つの機能設定に加えて、スイッチ４１を押下した状態で照明器具１０の電源を投入することにより、第３の機能である特定機能の設定を行うことができる。これは、即ち、１つのスイッチ４１で３種類の機能設定を行うことができるということである。これにより、少ない数のスイッチでも多くの機能の設定を行うことができ、コストダウンに資することができる。
【００５９】
＜変形例＞
以上、本発明の構成を実施形態に基づいて説明したが、本発明は上記実施形態に限られず、以下のような変形例を実施することができる。なお、説明の重複を避けるため、上記実施形態と同じ構成要素については、同符号を付して、その説明を省略する。
（変形例１）
マイクロコンピュータには、コンデンサ等の蓄電機能を有する部材が用いられている場合がある。そのような場合、照明器具の外部電源が遮断されても、マイクロコンピュータの電源はすぐには遮断されず、蓄電部材に蓄電された電力が放電されて無くなるまでマイクロコンピュータの電源は維持される。蓄電部材に蓄電されている電力が完全に放電されるまで、通常数秒から数十秒ほどかかり、その間はマイクロコンピュータの電圧はＶｃｃに維持される。よって、その間にユーザが外部電源を再び投入しても、マイクロコンピュータの電圧は０からＶｃｃへと変化しない。この場合、タイマーがリセット＆リスタートされないため、スイッチ４１が押下されたことを検知しても、その時刻ｔａがｔ１以下であるかどうか正確に判断できなくなる。つまり、ユーザが照明器具の電源を落とした後、スイッチ４１を押下して蓄電部材の電力が完全に放電される前に電源を再投入した場合、特定機能設定は行われなくなる。
【００６０】
上記のようにマイクロコンピュータがコンデンサ等の蓄電部材を備える場合には、蓄電部材の放電が完了したことを示す放電完了表示部を設けて、放電が完了した後にスイッチ４１を押下した状態でユーザに電源を投入させるようにするとよい。
上記放電完了表示部としては、具体的には、例えば、コンデンサの両端にＬＥＤを並列に接続し、ＬＥＤが消灯したら放電が完了したとすることができる。
【００６１】
（変形例２）
上記実施形態においては、特定機能がリセット機能である場合を例に説明した。しかし、実施形態でも述べたように、特定機能はリセット機能に限られず、例えば、チャネル設定機能であってもよい。この場合、スイッチ４１を押下した状態で電源を投入するとユーザにチャネル設定を許可するチャネル設定モードが開始されるようにしてもよい。そして、チャネル設定モードが開始されると、ユーザがリモコンでチャネル設定を行って送信ボタンを押すと、ユーザが設定した情報が照明器具１０の受信部３１（図１，図２参照）へと送信され、受信部３１により受信された設定情報に従って、制御回路１０６がチャネル設定を行うようにしてもよい。この場合、チャネル設定モードの開始から、ユーザがリモコンを用いて入力した設定情報を受信部３１により受信して受信した設定情報に従って制御回路１０６がチャネル設定を行うまでの一連の動作が「特定機能の設定」に相当する。
【００６２】
なお、スイッチを押下した状態で電源を投入して設定する方法は、スイッチの短押し、長押しと比較すると容易ではないため、この方法により設定する機能としては、ユーザがあまり頻繁に設定の変更を行わない機能の方が好ましい。また、ユーザが意図せずに誤って設定してしまうと不都合が比較的大きい機能をこの方法により設定するようにしてもよい。これにより、誤設定の蓋然性を低減してユーザの利便性に資することができる。
【００６３】
（変形例３）
上記実施形態に係る照明器具１０においては、スイッチを１つのみ備える構成について説明したが、これに限られない。２つ以上のスイッチを備える構成としてもよい。その場合においても、上記実施形態における機能設定処理によると、１つのスイッチで３種類の機能設定が可能であるため、従来よりも少ないスイッチ数で、従来と同じ数または従来よりも多くの数の機能設定が可能である。
【００６４】
（変形例４）
また、スイッチ４１は、押釦スイッチに限られない。例えば、スイッチ４１は、スライドスイッチでもよい。また、例えば、和風デザインの照明器具の場合など、ひもで引っ張る方式のスイッチでもよい。
（変形例５）
上記実施形態および各変形例においては、特定機能の設定の際に、スイッチ４１の押下が解除されたかどうかについては検知しないが、これを検知するようにしてもよい。そのうえで、スイッチ４１の押下継続期間について上限を設けてもよい。例えば、電源投入時にスイッチ４１が押下されていることを検知した場合、その後スイッチ４１の押下が解除されたかどうかを検知する。そして、スイッチ４１の押下が解除されるまでの押下継続期間がＴｉ（具体的には、例えば３０秒間）以下である場合には、特定機能の設定を行い、Ｔｉよりも長い期間である場合には、特定機能の設定を行わずに通常点灯を行うようにしてもよい。
【００６５】
このようにすると、例えば、子供がいたずらでスイッチ４１にテープを貼り、スイッチ４１が押下されたままの状態となった場合などに、それに気づかずにユーザが照明器具の電源ＯＦＦ／ＯＮを実行するたびに特定機能が設定されるのを防止することができる。
（変形例６）
上記実施形態および各変形例においては、スイッチ４１の長押しの判断は、スイッチ４１が所定期間Ｔｈ以上押下されたことにより行い、押下期間の上限については、特に設定していなかった。しかし、スイッチ４１の押下期間の上限を設定してもよい。例えば、スイッチ４１が所定期間Ｔｈ（具体的には、例えば２秒間）以上押下されたことを検知すると、一端スイッチ４１が長押しされたと判断するが、その後もスイッチ４１の押下状態が継続された場合、継続期間がＴｉを超えると長押しではないと判断して、機能の設定を行わないようにしてもよい。
【００６６】
（変形例７）
上記変形例５および６の場合、スイッチ４１の押下継続期間が所定期間Ｔｉを超えると、ブザー５０から警告音が発せられるようにしてもよいし、リモコンの表示部に警告メッセージが表示されるようにしてもよい。
なお、上記実施形態および各変形例に係る照明器具の部分的な構成を適宜組み合わせてなる照明器具であっても良い。また、上記実施形態および各変形例における説明に記載した材料、数値等は好ましいものを例示しているだけであり、それに限定されることはない。また、各図面における各部材の寸法および比は、一例として挙げたものであり、必ずしも実在の照明器具の寸法および比と一致するとは限らない。さらに、本発明の技術的思想の範囲を逸脱しない範囲で、照明器具の構成に適宜変更を加えることは可能である。
【符号の説明】
【００６７】
１          点灯装置
１０        照明器具
１１        器具本体
１２        センサ枠
１３        グローブ
１４        第１発光部
１４ａ，３２ａ  ＬＥＤ
１８        コネクタ
２０        センサユニット
２１        表示灯
２２        明るさセンサ
２２ａ      検知回路
２２ｂ      差動増幅回路
３０        受信ユニット
３１        受信部
３２        第２発光部
３３        レンズカバー
４０        設定ユニット
４１        スイッチ
５０        ブザー
１０１      整流回路
１０２      ＰＦＣ回路
１０３      第１降圧チョッパ回路
１０４      第２降圧チョッパ回路
１０５      レギュレータ
１０６      制御回路（制御部）
１０６ａ    マイクロコンピュータ（マイコン）
１０６ａ１  メモリ（記憶部）
１１１      取付用貫通孔
【図１】
2014026879.tif 000003
【図２】
2014026879.tif 000004
【図３】
2014026879.tif 000005
【図４】
2014026879.tif 000006
【図５】
2014026879.tif 000007
【図６】
2014026879.tif 000008